(57)【特許請求の範囲】
【請求項１】
背負式作業機（１０）に背負バンド（１６）の端部を取り付ける取付構造であって、
前記背負式作業機（１０）の作業者側となる面におけるバンド取付部（２４）に凹部（２８）を形成し、該凹部（２８）の左右の側面（２８ａ，２８ｂ）間にバー（３０）を架設し、前記背負バンド（１６）の端部を折り返して形成された筒部（３６）を前記バー（３０）と前記凹部（２８）の底面（２８ｃ）との間の隙間（３２）に挿入し、前記筒部（３６）にピン（３８）を挿入して前記凹部（２８）からの前記背負バンド（１６）の抜け止めを施すとともに、前記凹部（２８）の下面に形成された突起（３４）により、前記ピン（３８）が挿入された前記筒部（３６）が前記凹部（２８）内において保持されるようにした、背負バンドの取付構造。
【発明の詳細な説明】
【技術分野】
【０００１】
本発明は、農作業等に用いられる動力噴霧機、動力散布機或いはブロア装置等の背負式作業機に関し、特に、背負バンドを作業機に取り付けるための取付構造に関する。
【背景技術】
【０００２】
従来、背負式作業機の背負バンドは左右一対あり、各バンドの上端と下端が背負い枠の上部と下部の取付枠等に取り付けられている。背負バンドの取付構造としては従来から種々あるが、背負バンドを取り外して洗浄やその為のメンテナンス等を行うことができるように、例えば下記の特許文献１に記載されているようなものがある。特許文献１に記載のバンド取付構造は、取付枠に形成された細孔に背負バンドの端部の筒部を挿入し、その語、筒部にピンを挿入して抜け止めを図るというものである。
【特許文献１】実開昭５１−８７９９７号公報
【発明の開示】
【発明が解決しようとする課題】
【０００３】
しかしながら、上述した特許文献１に記載のバンド取付構造においては、ピンが背負バンドから抜け落ちないように、ピンの一部を縮径し、そこに筒部の上から締付け金具をかしめ付けるという作業が必要であった。この作業は手間がかかり、ピンも複雑な特殊形状であるので、製造が困難であり、更に、部品数も多いという問題がある。また、背負バンドの筒部が下方に移動して、上部と下部の取付枠間で背負バンドが短くなり、腕を通し難いという問題もある。
【０００４】
本発明は、かかる事情に鑑みてなされたものであり、その目的は、部品点数の少ない簡易な構成で、容易に背負バンドを取り付けることができ、しかも、背負バンドの取付端部の移動を防止できる背負バンド取付構造を提供することにある。
【課題を解決するための手段】
【０００５】
上記目的を達成するために、本発明は、背負式作業機（１０）に背負バンド（１６）の端部を取り付ける取付構造において、背負式作業機（１０）の作業者側となる面におけるバンド取付部（２４）に凹部（２８）を形成し、該凹部（２８）の左右の側面（２８ａ，２８ｂ）間にバー（３０）を架設し、背負バンド（１６）の端部を折り返して形成された筒部（３６）をバー（３０）と凹部（２８）の底面（２８ｃ）との間の隙間（３２）に挿入し、筒部（３６）にピン（３８）を挿入して凹部（２８）からの背負バンド（１６）の抜け止めを施すとともに、凹部（２８）の下面に形成された突起（３４）により、ピン（３８）が挿入された筒部（３６）が凹部（２８）内において保持されるようにしたことを特徴としている。
【０００６】
この構成においては、ピン（３８）を背負バンド（１６）の筒部（３６）に挿入した後、凹部（２８）内でピン（３８）は保持される。したがって、背負バンド（１６）の端部が固定されることはもとより、ピン（３８）が筒部（３６）から抜けることがなく、締付け金具でかしめる必要もない。よって、ピン（３８）を特殊形状のものとする必要もない。
【０００７】
なお、本明細書及び特許請求の範囲において左、右、前、後、上、下等の方向を表す語は、作業者が背負式作業機（１）を背負って直立した状態を基準とし、作業者にとり前方を「前」と定める。
【発明の効果】
【０００８】
上述したように、本発明によれば、背負バンド（１６）の筒部（３６）に挿入されたピン（３８）は凹部（２８）内で保持され、ピン（３８）が筒部（３６）から抜けることがないので、締付け金具でかしめる必要がなく、取付作業が容易となる。また、ピン（３８）の形状は単なる丸棒形状であってもよく、ピン（３８）を製造する手間やコストもかからない。更に、ピン（３８）が凹部（２８）内に保持されることから、背負バンド（１６）の端部が移動させず、上部バンド取付部（２４）と下部バンド取付部（１８）との間で背負バンド（１６）は弛緩した状態を維持し、腕を容易に通すことができ、作業機（１０）を背負う際にも有効である。
【発明を実施するための最良の形態】
【０００９】
以下、図面を参照して本発明の好適な実施形態について詳細に説明する。なお、全図を通し同一又は相当部分には同一符号を付すこととする。
【００１０】
図１は、本発明が適用された背負式作業機の一種である背負式動力噴霧機を示す斜視図である。この動力噴霧機１０は、液体ポンプやエンジン等を搭載する背負い枠１２と、この背負い枠１２の上部に配置され、噴霧すべき薬液を貯留した液体タンク１４と、当該動力噴霧機１０を作業者が背負うための左右一対の背負バンド１６（図１にはその一方のみを示す）とを備えている。
【００１１】
背負い枠１２の下部の左右各側には、背負バンド１６の下端が取り付けられる下部バンド取付部１８が設けられている。この下部バンド取付部１８は、背負バンド１６の下端を折り返して形成された筒部（図示しない）が嵌挿される軸２０と、筒部の嵌挿後に軸２０から抜け落ちないようストッパ２２とを有している。
【００１２】
また、動力噴霧機１０が作業者に背負われた状態で、作業者の側となる面の上部には、右側寄りと左側寄りの位置にそれぞれ、背負バンド１６の上端を取り付けるための上部バンド取付部２４が設けられている。なお、図示実施形態の動力噴霧機１０における背負い枠１２は、作業者の背に当たる背当て部２６が一般のものよりも短く、液体タンク１４の前面が背当て部の一部を構成している。
【００１３】
上部バンド取付部２４は、図２〜図４に明示するように、液体タンク１４の前面に形成された凹部２８から構成されている。この凹部２８は、正面から見た場合、図３から理解されるように略矩形形状であり、その幅は背負バンド１６の上端の幅と同等又は若干大きくされている。凹部２８の左右の側面２８ａ，２８ｂ間には１本のバー３０が架設されている。このバー３０と、凹部２８の底面（後側となる面）２８ｃとの間には、背負バンド１６を二つ折りした厚さよりも若干大きな幅の隙間３２が形成されている。また、凹部２８の下面２８ｄの左右角部には突起３４が形成されている。
【００１４】
次に、このような構成の上部バンド取付部２４に背負バンド１６の上端を取り付ける場合について説明する。
【００１５】
まず、前もって背負バンド１６の上端を折り曲げて筒部３６を形成しておく。この筒部３６を、図４の（ａ）に示すように、バー３０の上側から凹部２８に挿入し、バー３０と凹部２８の底面２８ｃとの間の隙間３２に差し通す。
【００１６】
次いで、図４の（ｂ）に示すように、バー３０の下側から筒部３６を前方に引っ張り出し、この筒部３６に丸棒形状のピン３８を挿入する。このピン３８の長さは筒部３６の長さと同等であり、凹部２８の幅よりも若干小さい。また、ピン３８の直径は隙間３２よりも大きく、かつ、バー３０の下側の凹部２８開口から出し入れできる程度とされている。
【００１７】
ピン３８を筒部３６に装着後、背負バンド１６の中間部を引っ張ると、ピン３８の入った筒部３６は凹部２８内に収容され、筒部３６及びピン３８はバー３０に係止される。逆に、背負バンド１６が自重その他の力により凹部２８へ押し込まれた状態が図３及び図４の（ｃ）であるが、これら図から理解される通り、筒部３６及びピン３８は突起３４と係合し、筒部３６を故意に引き出そうとしない限り、凹部２８内に保持されることになる。
【００１８】
このような構成のバンド取付構造においては、上述したように、バンド取付時の作業は実質的に、背負バンド１６の上端の筒部３６を凹部２８内の隙間３２に挿入し、筒部３６にピン３８を挿入するだけですむ。また、ピン３８が凹部２８内で保持されるので、抜け止めのためにピン３８を専用の部品でかしめ付ける等の手間も不要である。これは、ピン３８を特殊な形状とする必要性を除去するものであり、ピン３８を製造する手間やコストを少なくすることができる。更に、ピン３８が凹部２８内で保持されるので、上部バンド取付部２４と下部バンド取付部１８との間における背負バンド１６の中間部（作業者の肩に掛け廻される有効部分）が短くなることはないため、動力噴霧機１０を背負うことも容易化される。
【００１９】
なお、背負バンド１６をメンテナンス等で外したい場合には、ピン３８の入った筒部３６を突起３４よりも上方に持ち上げて、凹部２８から引っ張り出し、ピン３８を筒部３６から抜けば、背負バンド１６の上端を上部バンド取付部２４から取り外すことができる。この作業も、従来のようにピンを締付け金具でかしめ付けた場合に比して、非常に簡単である。
【００２０】
以上、本発明の好適な実施形態について詳細に説明したが、本発明は上記実施形態に限定されないことはいうまでもない。
【００２１】
例えば、上記実施形態では、上部バンド取付部２４は液体タンク１４の前面に形成されているが、一般的な丈の長い背当て部を有する背負い枠に対しては、背当て部の上部に上部バンド取付部を形成してもよい。
【００２２】
また、下部バンド取付部１８も上部バンド取付部２４と同様な構成とし、本発明が適用されてもよい。
【００２３】
更に、本発明は、動力噴霧機に限られず、背負式の散布機やファン式清掃機等、他の型式の背負式作業機にも適用可能である。
【図面の簡単な説明】
【００２４】
【図１】本発明のバンド取付構造が適用された背負式動力噴霧機１０を示す斜視図背である。
【図２】本発明の一実施形態に係るバンド取付構造における上部バンド取付部を詳細に示す斜視図である。
【図３】本発明の一実施形態に係るバンド取付構造を示す正面図である。
【図４】（ａ）〜（ｃ）は本発明の一実施形態に係るバンド取付構造に背負バンドを取り付ける手順を示す断面図であり、（ｃ）は図３のIV−IV線に沿っての断面図である。
【符号の説明】
【００２５】
１０…背負式動力噴霧機（背負式作業機）、１２…背負い枠、１４…液体タンク、１６…背負バンド、１８…下部バンド取付部、２４…上部バンド取付部、２８…凹部、３０…バー、３２…隙間、３４…突起、３６…筒部、３８…ピン。
【図１】
0004463165.tif 000002
【図２】
0004463165.tif 000003
【図３】
0004463165.tif 000004
【図４】
0004463165.tif 000005